(57)【要約】【課題】  バッファ滞留によるデータ破棄を解消できる通信方法を提供する。【解決手段】  本発明の通信方法は、装置内に設けられた各カード間でスイッチを介して通信を行うものであって、送信するデータを前記カードがバッファリングし、スイッチはカード内のバッファの滞留状況をリードしながらカードによる送信機会をスケジューリングし、このスケジューリング結果に基づいてカードに送信指示を与え、この送信指示に従ってカードがスイッチを介して他のカードにデータを送信する。こうした手順により、バッファ滞留によるデータ破棄を解消することができる。【選択図】      図１
2009088823.tif 000002
【特許請求の範囲】
【請求項１】
装置内に設けられた各カード間でスイッチを介して通信を行う通信方法であって、
送信するデータを前記カードがバッファリングするバッファリングステップと、
前記スイッチは、前記カード内のバッファの滞留状況をリードしながら、前記カードによる送信機会をスケジューリングするスケジューリングステップと、
このスケジューリング結果に基づいて、前記カードに送信指示を与えるステップと、
この送信指示に従って、前記カードが前記スイッチを介して他のカードにデータを送信するステップとを含むことを特徴とする通信方法。
【請求項２】
前記スケジューリングステップにおいて、スイッチは、所定のシェーピング周期設定情報に基づき、周期的に前記カード内のバッファの滞留状況をリードすることを特徴とする請求項１記載の通信方法。
【請求項３】
前記バッファリングステップにおいて、前記カードは、所定のサービス品質設定情報を基に、送信するデータをサービス品質クラス毎にバッファリングし、
前記スケジューリングステップにおいて、スイッチは、前記サービス品質設定情報に基づき、前記カードによる送信機会を前記サービス品質クラスごとにスケジューリングすることを特徴とする請求項２記載の通信方法。
【発明の詳細な説明】
【技術分野】
【０００１】
本発明は、装置内に設けられた各カード間でスイッチを介して通信を行う通信方法に関する。
【背景技術】
【０００２】
従来の技術として、各カードに対応したバッファをスイッチに設け、このバッファにデータを滞留させて送信を待ち合わせることで、衝突なくカード間の通信を行う通信方法があった。
【０００３】
【特許文献１】特開平08-242257号公報
【特許文献２】特開2003-204347号公報
【発明の開示】
【発明が解決しようとする課題】
【０００４】
しかしながら、従来の技術では、データの待ち合わせ、優先制御等のためにスイッチ内にバッファメモリを具備し、滞留したデータが冗長切替等の際に破棄されてしまうことがあった。
【０００５】
本発明の目的は、バッファ滞留によるデータ破棄を解消できる通信方法を提供することである。
【課題を解決するための手段】
【０００６】
本発明は、装置内に設けられた各カード間でスイッチを介して通信を行う通信方法であって、
送信するデータを前記カードがバッファリングするバッファリングステップと、
前記スイッチは、前記カード内のバッファの滞留状況をリードしながら、前記カードによる送信機会をスケジューリングするスケジューリングステップと、
このスケジューリング結果に基づいて、前記カードに送信指示を与えるステップと、
この送信指示に従って、前記カードが前記スイッチを介して他のカードにデータを送信するステップとを含むことを特徴とする通信方法である。
【発明の効果】
【０００７】
本発明によれば、スイッチがマスターとなって、各カード間の帯域制御を行うため、データバッファは各カードに適切な容量保有するだけで良く、スイッチ自身はバッファレスにすることが可能なため、バッファ滞留によるデータ破棄を解消することができる。
【発明を実施するための最良の形態】
【０００８】
図１は、本発明の実施の形態に係る基地局の構成および動作イメージを示す図である。基地局は、移動体通信に適用される基地局であって、移動体通信端末との間で無線通信を行い上位装置との間で有線通信を行う。
【０００９】
スイッチ（HWY-MUX）１１は、バッファメモリを具備しないスイッチであり、高速バスライン（HWYバス）で接続された各構成要素間を自由にスイッチングして相互にデータを転送させる。呼処理制御部（CNT）１２は、移動体通信端末と通信相手との間に呼を張る制御を行う他、基地局内の各構成要素を制御する。ベースバンド信号処理部（BB）１３は、移動体通信端末から受信しベースバンドにダウンコンバートされた信号を処理し、かつ上位装置から受信したベースバンドの信号を移動体通信端末に送信するための処理を行う。動作確認試験部（MISC）１４は、動作確認試験部（MISC）１４を起点として他の各構成要素を通過して動作確認試験部（MISC）１４に戻ってくる試験パスに沿って試験信号を流し、戻ってきた試験信号を検出することによって動作確認試験を行う。ハイウエイインタフェース（HWY-INF）１５は、上位装置と有線接続されたインタフェースであって、上位装置との間で高速にデータを送受信する。
【００１０】
呼処理制御部（CNT）１２、ベースバンド信号処理部（BB）１３、動作確認試験部（MISC）１４およびハイウエイインタフェース（HWY-INF）１５は、それぞれ物理的に分離されたカードで構成されている。なかでも、呼処理制御部（CNT）１２は、冗長構成をなしている。ベースバンド信号処理部（BB）１３およびハイウエイインタフェース（HWY-INF）１５は複数のカードからなり、通信の容量を確保している。スイッチ（HWY-MUX）１１は、呼処理制御部（CNT）１２を構成するカードに搭載されている。
【００１１】
図２は、基地局における動作フローを示す図である。ここで、呼処理制御部（CNT）１２によって制御を受ける側のカードをスレーブカードと呼ぶ。
【００１２】
まず、ステップST1において、呼処理制御部（CNT）１２は、QoS（Quality of Service）設定情報およびシェーピング周期設定情報をスイッチ（HWY-MUX）１１に送信する。また、各スレーブカードは、呼処理制御部（CNT）１２からのQoS（Quality of Service）設定情報を基に高速バスライン（HWYバス）へ送信するデータをQos毎にバッファリングする。
【００１３】
続いて、ステップST2,3において、呼処理制御部（CNT）１２は、各スレーブカードに対し宛先カード検索テーブルを通知する。各スレーブカードは、呼処理制御部（CNT）１２から設定された宛先カード検索テーブルを基に、受信PDCP（Packet Data Convergence Protocol）データ内容から宛先カードアドレスを割り出し、宛先カードアドレスヘッダをデータの先頭に付与しておく。
【００１４】
続いて、ステップST4,5において、スイッチ（HWY-MUX）１１は、呼処理制御部（CNT）１２からのQoS/シェーピング周期設定情報に基づき、定期的にスレーブカード内バッファ滞留状況をリードしながら、各スレーブカードから高速バスライン（HWYバス）への送信機会をスケジューリングする。
【００１５】
このスケジューリング結果に基づいて、次のステップST6では、各スレーブカードにQoS毎に重み付けした送信権限（送信指示）を順次与えていく。この送信指示に従って、次のステップST7において、指示されたQoS毎のデータが順次送信されていく。各スレーブカードはデータ受信時、宛先カードアドレスの一致を検出した場合に受信データを取り込む。
【００１６】
以上のように本実施の形態によれば、次の通りの効果が得られる。
（１）呼処理制御部（CNT）１２より指定可能なQosパラメータに従って、何段階かの優先制御を実現するスケジューリングを行うことができる。
（２）呼処理制御部（CNT）１２より指定可能なシェーピング周期に従って、ハイウエイインタフェース（HWY-INF）１５からの送信パケットにシェーピングをかけることができる。
（３）スイッチ（HWY-MUX）１１がマスターとなって、高速バスライン（HWYバス）の帯域制御を行うため、データバッファは各スレーブカードに適切な容量保有するだけで良く、スイッチ（HWY-MUX）１１自身はバッファレスにすることが可能なため、冗長切替時のバッファ滞留データ破棄をなくすことができる。
【図面の簡単な説明】
【００１７】
【図１】本発明の実施の形態に係る基地局の構成及び動作イメージを示す図である。
【図２】基地局における動作フローを示す図である。
【符号の説明】
【００１８】
１１  スイッチ（HWY-MUX）
１２  呼処理制御部（CNT）
１３  ベースバンド信号処理部（BB）
１４  動作確認試験部（MISC）
１５  ハイウエイインタフェース（HWY-INF）
【図１】
2009088823.tif 000003
【図２】
2009088823.tif 000004